(57)【要約】【課題】所望の角度にて開いた状態を容易に維持することが可能な戸体等を提供する。【解決手段】開口を備えた壁の見込み方向における一方側に配置され、前記壁に回動自在に支持されて前記開口を閉じることが可能な戸体であって、下方に突出可能に設けられ、突出して当該戸体と対向する部位に当接し当該戸体を支持可能な突出支持部材を有している。【選択図】図４
2020076274.tif 000002
【特許請求の範囲】
【請求項１】
開口を備えた壁の見込み方向における一方側に配置され、前記壁に回動自在に支持されて前記開口を閉じることが可能な戸体であって、
下方に突出可能に設けられ、突出して当該戸体と対向する部位に当接し当該戸体を支持可能な突出支持部材を有していることを特徴とする戸体。
【請求項２】
請求項１に記載の戸体であって、
前記壁よりも前記一方側に位置する回動軸を有するヒンジにより、
幅方向における一方の端側にて、上端側と下端側とが前記壁に支持されることを特徴とする戸体。
【請求項３】
請求項２に記載の戸体であって、
前記幅方向における他方の端側の上部に、当該戸体が前記開口を閉じた状態を維持する閉止維持部材を有することを特徴とする戸体。
【請求項４】
請求項１乃至請求項３のいずれかに記載の戸体であって、
前記突出支持部材を、当該戸体と対向する部位に当接している当接位置、及び、当該戸体と対向する部位と離間している離間位置に移動可能な操作部と、
前記操作部の操作により、前記突出支持部材が前記当接位置に移動するときに前記壁側と係合して施錠し、前記突出支持部材が前記離間位置に移動するときに係合が解除されて解錠される施錠部材と、
を有することを特徴とする戸体。
【請求項５】
開口を備えた壁の見込み方向における一方側に配置され、前記壁に回動自在に支持されて前記開口を閉じることが可能な戸体の施工方法であって、
前記戸体は、
前記壁よりも前記一方側に位置する回動軸を有するヒンジにより、
幅方向における一方の端側にて、上端側と下端側とが前記壁に支持されており、
下方に突出可能に設けられ、突出して当該戸体と対向する部位に当接し当該戸体を支持可能な突出支持部材と、
前記幅方向における他方の端側の上部に、当該戸体が前記開口を閉じた状態を維持する閉止維持部材と、
前記突出支持部材を、当該戸体と対向する部位に当接している当接位置、及び、当該戸体と対向する部位と離間している離間位置に移動可能な操作部と、
前記操作部の操作により、前記突出支持部材が前記当接位置に移動するときに前記壁側と係合して施錠し、前記突出支持部材が前記離間位置に移動するときに係合が解除されて解錠される施錠部材と、
を有しており、
前記壁の前記開口を形成している開口側壁縁部において前記戸体の前記一方の端側における下端部に前記ヒンジを固定する下ヒンジ固定工程と、
前記開口側壁縁部において前記戸体の前記他方の端側における上部に前記閉止維持部材と係合する係合部を固定する係合部固定工程と、
前記突出支持部材を突出させた状態で前記戸体を、前記壁に固定した前記ヒンジと係合させ、前記戸体の前記他方の端側に設けられた前記施錠部材を前記壁側と係合させるとともに前記突出支持部材を前記戸体と対向する部位に当接させて当該戸体を自立させる戸体自立工程と、
前記戸体に前記一方の端側の上端部に係合させた前記ヒンジを前記壁に固定する上ヒンジ固定工程と、
を有することを特徴とする戸体の施工方法。
【発明の詳細な説明】
【技術分野】
【０００１】
本発明は、戸体及び戸体の施工方法に関する。
【背景技術】
【０００２】
戸体のなかには、戸体をなすドアの厚み方向における中央に回転中心を備えるヒンジにより支持され、見込み方向においてドア枠よりも一方側に配置されたアウトセットタイプのドアが知られている（例えば、特許文献１参照）。このドアは、回動軸がドア枠よりも一方側に位置するピボットヒンジにより回動自在に支持されており、ドアの回動軸がドア枠よりも一方側に位置しているので、ドアを９０度以上開くことが可能である。
【先行技術文献】
【特許文献】
【０００３】
【特許文献１】特開２０１７−１８００３７号公報
【発明の概要】
【発明が解決しようとする課題】
【０００４】
上述した戸体は、ドア枠の内側にドアが配置される、所謂インセットタイプのドアよりも大きく開くことが可能であるためドアの開き幅が大きい。このため、ドアを、使用状況に応じた所望の角度に開いた状態で回動を規制して、容易に所望の角度に開いた状態を維持できることが望まれている。
【０００５】
本発明は、かかる課題に鑑みてなされたものであり、その目的とするところは、所望の角度にて開いた状態を容易に維持することが可能な戸体及びこの戸体の施工方法を提供することにある。
【課題を解決するための手段】
【０００６】
かかる目的を達成するために本発明の戸体は、開口を備えた壁の見込み方向における一方側に配置され、前記壁に回動自在に支持されて前記開口を閉じることが可能な戸体であって、下方に突出可能に設けられ、突出して当該戸体と対向する部位に当接し当該戸体を支持可能な突出支持部材を有していることを特徴とする戸体である。
本発明の他の特徴については、本明細書及び添付図面の記載により明らかにする。
【発明の効果】
【０００７】
本発明によれば、所望の角度にて開いた状態を容易に維持することが可能な戸体及びこの戸体の施工方法を提供することが可能である。
【図面の簡単な説明】
【０００８】
【図１】本実施形態に係る扉を示す側面図である。
【図２】本実施形態に係る扉を示す横断面図である。
【図３】戸先側の縦材を示す横断面図である。
【図４】施錠機構を説明するための図である。
【図５】最上位置に位置するマグネットラッチ及びロック棒を示す図である。
【図６】最下位置に位置するマグネットラッチ及びロック棒を示す図である。
【図７】扉の施工方法を示す図である。
【図８】開閉操作部と操作部とを備えた扉を示す正面図である。
【発明を実施するための形態】
【０００９】
以下、本発明の一実施形態に係る戸体および戸体の施工方法について図面を参照して説明する。
本実施形態の戸体は、隣接する２つの空間を仕切る壁の一方側の空間に配置されて回動自在に設けられている戸体であり、所謂アウトセットタイプの扉である。本実施形態では、図１、図２に示すように、２つの空間を室内側の空間と室外側の空間とし、戸体としての扉１は室外側の空間に配置されている例について説明する。
【００１０】
本実施形態の扉１は、壁２において室内側の空間と室外側の空間とを連通する開口２ａを形成している開口側壁縁部２ｂにピボットヒンジ３により回動自在に支持され、開口２ａを室外側から覆うように構成されている。扉１は、開口２ａを閉じた状態で、下端が下方にて床４と間隔を空けて対向しており、扉１の幅方向における両端部と上端部とが、開口側壁縁部２ｂの室外側の面と対向している。
【００１１】
以下の説明においては、扉１が壁２に取り付けられている状態を室内空間側から見たときに、上下となる方向を上下方向、左右となり扉の幅側となる方向を左右方向、室内外方向を見込み方向として示す。また、扉１を構成する各部材及び各部位については、単体の状態であっても扉１が取り付けられた状態で上下方向、左右方向、見込み方向等となる方向にて方向を特定して説明する。また、扉１においては、幅方向においてピボットヒンジ３により支持されている側を吊り元側、反対側を戸先側とする。
【００１２】
扉１は、パネル状をなすパネル芯材１０と、パネル芯材１０の吊り元側の縁に沿って設けられている吊り元材１１と、パネル芯材１０の戸先側の縁に沿って設けられている戸先材１２と、を有している。吊り元材１１と戸先材１２は、同一の断面形状をなす押出成形部材でなる縦材１３と、縦材１３の室内側に嵌合され軟質の合成樹脂でなり開口側壁縁部２ｂの室外側の面に当接される戸当たり材１４と、を有している。
【００１３】
縦材１３は、図３に示すように、見込み方向に間隔を空けて対向する室内壁部１３ａ及び室外壁部１３ｂと、室内壁部１３ａ及び室外壁部１３ｂのパネル芯材１０側の縁より僅かに扉１の左右端側に設けられ各々対向する側に突出されて見込み面を形成する室内側見込み壁部１３ｃ及び室外側見込み壁部１３ｄと、室内壁部１３ａ及び室外壁部１３ｂの、扉１における左右端側の縁をほぼ半円形状をなす壁部により繋ぐ円弧状壁部１３ｅと、を有している。
【００１４】
室内側見込み壁部１３ｃ及び室外側見込み壁部１３ｄからは、各々パネル芯材１０側に突出する２つの突出壁部１３ｆと、２つの突出壁部１３ｆのパネル芯材１０側の縁を繋ぐ連結壁部１３ｇと、により、室内側見込み壁部１３ｃ及び室外側見込み壁部１３ｄよりもパネル芯材１０側に窪む縦材凹部１３ｈが上下方向に沿って形成されている。
【００１５】
縦材凹部１３ｈの開放されている側に位置する室内側見込み壁部１３ｃ及び室外側見込み壁部１３ｄは、各々突出壁部１３ｆよりも互いに対向する側に突出している。また、縦材凹部１３ｈ内には、連結壁部１３ｇから室内側見込み壁部１３ｃ及び室外側見込み壁部１３ｄの先端近傍に向かってそれぞれ左右方向に突出する２つの突起１３ｉが設けられている。
【００１６】
パネル芯材１０は、両面に設けられているパネル面材１０ａの左右の端部が、吊り元材１１と戸先材１２をなす縦材１３の室内壁部１３ａ及び室外壁部１３ｂと、縦材凹部１３ｈを形成する２つの突出壁部１３ｆとの間に各々挿入されて吊り元材１１及び戸先材１２と接合されている。前述した戸当たり材１４は、室内壁部１３ａに長手方向に沿って設けられた嵌合溝１３ｊに嵌合されて室内側に突出している。
【００１７】
扉１には、吊り元材１１をなす縦材１３の上下の端部に、ピボットヒンジ３の回動軸をなすピン３ａを挿入可能なヒンジ受け(不図示)が設けられている。ヒンジ受けは、扉１の厚み方向における中央にてピボットヒンジ３のピン３ａを受けるように構成されている。より具体的には、ピボットヒンジ３のピン３ａが、円弧状壁部１３ｅのほぼ中心に配置するようにヒンジ受けが設けられている。
【００１８】
壁２に設けられるピボットヒンジ３は、壁２の開口２ａを形成する開口側壁縁部２ｂの内周面に固定されるヒンジ固定部３ｂと、ヒンジ固定部３ｂの上端又は下端から室外側に延出されるヒンジ延出部３ｃと、を有するヒンジプレート３ｄと、ヒンジ延出部３ｃの先端側の部位に設けられたピン３ａと、を有している。
【００１９】
扉１の戸先側には、図４に示すように、施錠機構５が設けられている。図４においては、施錠機構５の構成を示すために、パネル芯材１０、吊り元材１１、戸先材１２、及び、後述するグレモンハンドル５０を仮想線(二点鎖線)により示している。
【００２０】
施錠機構５は、パネル芯材１０の戸先側にて室内面及び室外面に設けられた操作部としてのグレモンハンドル５０と、グレモンハンドル５０の見込み方向に沿う回転軸５ａに設けられたピニオン５ｂと、ピニオン５ｂと噛み合うラック５１ａを備えグレモンハンドル５０の操作により上下方向に移動する上下移動部材５１と、上下移動部材５１と戸先側の縦材１３内にて連結されるリンクバー５２と、リンクバー５２の上端部および下端部と各々連結され縦材凹部１３ｈにて、室内側見込み壁部１３ｃ、室外側見込み壁部１３ｄ、及び、２つの突起１３ｉに案内されて上下方向に移動する上連結棒５３及び下連結棒５４と、上連結棒５３の上端に設けられ戸先側の縦材１３の上端側において室内壁部１３ａから突出されているマグネットラッチ５５と、下連結棒５４の下端に設けられ下面にゴムシート５６ａが設けられているロック棒５６と、を有している。
【００２１】
施錠機構５は、グレモンハンドル５０を操作することにより上下方向に移動する上下移動部材５１と、リンクバー５２及び上連結棒５３または下連結棒５４を介して繋がったマグネットラッチ５５及びロック棒５６が、グレモンハンドル５０の操作とともに上下に移動するように構成されている。
【００２２】
ロック棒５６は、下連結棒５４の下端に固定される下端固定部５６ｂと、下端固定部５６ｂの下端に設けられた円盤状の当接盤部５６ｃとを有しており、当接盤部５６ｃの下面にゴムシート５６ａが設けられている。当接盤部５６ｃは、縦材１３の円弧状壁部１３ｅの半径より小さな半径の円形状をなしており、ロック棒５６は、グレモンハンドル５０の操作による移動範囲の最上位置に位置するときには、図５に示すように、戸先側の縦材１３内に収容される。
【００２３】
グレモンハンドル５０を操作してロック棒５６を、グレモンハンドル５０の操作による移動範囲の最下位置に下げることにより、図６に示すように戸先材１２から突出し、当接盤部５６ｃに設けられたゴムシート５６ａが扉１の下方にて当該扉１と対向する部位をなす床４に当接されて扉１の回動が規制される。ここで、ロック棒５６が、下方に突出可能に設けられ、突出して当該戸体と対向する部位に当接し当該戸体を支持可能な突出支持部材に相当する。また、グレモンハンドル５０の操作による移動範囲の最下位置が、突出支持部材を、当該戸体と対向する部位に当接している当接位置に相当する。
【００２４】
マグネットラッチ５５は、上連結棒５３の上端に固定された台座５５ａが室内壁部１３ａより室内側に突出しており、台座５５ａの室内側の面にマグネット５５ｂが露出している。台座５５ａの下面からは下方に突出する台座突出片５５ｃが、室内壁部１３ａと見込み方向に間隔を空けた位置に設けられている。
【００２５】
壁２の開口側壁縁部２ｂには、マグネットラッチ５５が当接して磁力により当接した状態が維持される金属製のラッチ受け５７が固定されている。ラッチ受け５７は、開口側壁縁部２ｂの内周面に固定されるラッチ受け固定部５７ａと、ラッチ受け固定部５７ａの室外側の縁から開口側壁縁部２ｂの室外側の面に沿って延出されたラッチ受け延出部５７ｂと、ラッチ受け延出部５７ｂの下端から室外側に延出されたラッチ受け下端延出部５７ｃと、ラッチ受け下端延出部５７ｃの室外側の縁から上方に延出されたラッチ受け上方延出部５７ｄと、を有している。
【００２６】
壁２側に設けられているラッチ受け５７は、グレモンハンドル５０の操作による移動範囲の最上位置に位置するときには、図５に示すように、台座突出片５５ｃがラッチ受け上方延出部５７ｄよりも高い位置に位置するように、ラッチ受け延出部５７ｂが配置されており、扉１が閉じられたときには、マグネットラッチ５５のマグネット５５ｂがラッチ受け延出部５７ｂに当接して、扉１が開口２ａを閉じた状態が維持される。そして、グレモンハンドル５０を操作してマグネットラッチ５５を下げ、移動範囲の最下位置に移動することにより、図６に示すように、台座突出片５５ｃがラッチ受け延出部５７ｂとラッチ受け上方延出部５７ｄとの間に挿入され、扉１の戸先部の室外側への移動が規制されて施錠される。本実施形態においては、マグネット５５ｂが閉止維持部材に相当し、ラッチ受け延出部５７ｂが、閉止維持部材が係合される係合部に相当し、台座突出片５５ｃが施錠部材に相当する。
【００２７】
本実施形態の扉１は、マグネットラッチ５５及びロック棒５６が、グレモンハンドル５０の操作による移動範囲の最上位置に位置するときには、マグネットラッチ５５の台座突出片５５ｃがラッチ受け上方延出部５７ｄよりも高い位置に位置し、ロック棒５６は、扉１と下方にて対向する床４と離間して開閉自在な状態にある。ここで、グレモンハンドル５０の操作による移動範囲の最上位置が、突出支持部材が戸体と対向する部位と離間している離間位置に相当する。
【００２８】
この状態で、扉１を閉じた場合には、マグネットラッチ５５の磁力により、開口２ａを閉じた状態に維持することが可能であり、扉１を閉じた状態でマグネットラッチ５５及びロック棒５６が、グレモンハンドル５０の操作による移動範囲の最下位置に移動したときには、ロック棒５６により扉の回動が規制されると共に、施錠機構５により扉１が施錠される。また、扉１を開いた状態でマグネットラッチ５５及びロック棒５６が、グレモンハンドル５０の操作による移動範囲の最下位置に移動した場合であっても、ロック棒５６の当接盤部５６ｃが床４に当接することにより、扉１の回動が規制される。
【００２９】
本実施形態の扉１の施工方法について説明する。
扉１を壁２の開口側壁縁部２ｂに取り付ける場合には、図７に示すように、まず、壁２の開口２ａにおいて扉１の吊り元側の開口側壁縁部２ｂをなす開口２ａの内周面の下端部に、ピボットヒンジ３のヒンジ固定部３ｂを固定する（下ヒンジ固定工程）。このとき、ピボットヒンジ３はピン３ａが室外側に位置するように配置されている。
【００３０】
また、壁２の開口２ａにおいて扉１の戸先側の開口側壁縁部２ｂをなす開口２ａの内周面の上端側に、ラッチ受け５７のラッチ受け固定部５７ａを固定する（係合部固定工程）。このとき、ラッチ受け延出部５７ｂは、開口側壁縁部２ｂの室外側の面に沿って配置されている。このとき、下ヒンジ固定工程と係合部固定工程とは、いずれが先でも構わない。
【００３１】
次に、施錠機構５が備えられている扉１を、壁２の開口側壁縁部２ｂの室外側にて自立させる（戸体自立工程）。より具体的には、グレモンハンドル５０を操作して、ロック棒５６をグレモンハンドル５０の操作による移動範囲の最下位置に移動することにより、戸先側の縦材１３の下端よりも下方に突出させておく。このとき、リンクバー５２によりロック棒５６と連結されているマグネットラッチ５５もグレモンハンドル５０の操作による移動範囲の最下位置に位置している。
【００３２】
ロック棒５６を突出させた状態の扉１を壁２及び開口２ａの室外側に移動し、開口側壁縁部２ｂに固定された下側のピボットヒンジ３のピン３ａが扉１の吊り元側の縦材１３の下端に設けられているヒンジ受けに挿入されるべく、扉１を上方から降下させる。このとき、扉１は、壁２とほぼ平行をなす状態で、ピン３ａの上方から降下される。
【００３３】
ピン３ａがヒンジ受けに挿入されるとともに、ロック棒５６が床４に当接され、更に、マグネットラッチ５５の台座突出片５５ｃがラッチ受け延出部５７ｂとラッチ受け上方延出部５７ｄとの間に挿入される。このとき、扉１は、下側のピボットヒンジ３とロック棒５６により支持され、台座突出片５５ｃがラッチ受け上方延出部５７ｄに係合するとともにマグネットラッチ５５のマグネット５５ｂがラッチ受け延出部５７ｂに当接して引き付けられているので、扉１の上部側の室外側への移動が規制されるため扉１が自立する。
【００３４】
次に、自立している扉１の吊り元側の縦材１３の上端に設けられているヒンジ受けに上側のピボットヒンジ３のピン３ａを挿入して、ピボットヒンジ３を縦材１３上に載置する。載置したピボットヒンジ３は、ヒンジプレート３ｄを、ピン３ａを中心にして回転させることにより、ヒンジ固定部３ｂを、開口側壁縁部２ｂをなす開口２ａの内周面の上端部と対面させて固定し、扉１の壁２への取り付けが完了する（上ヒンジ固定工程）。
【００３５】
本実施形態の扉１によれば、下方に突出して扉１と対向する床４に当接し、当該扉１を支持可能なロック棒５６を有しているので、扉１を所望な位置に移動させた後に、ロック棒５６を下方に突出させて床４に当接させることにより、容易に所望の位置で扉１が開いている状態を維持することが可能である。また、ロック棒５６は、扉１を支持しているので、扉１の重量が作用してロック棒５６と床４との間に生じる摩擦力により、より確実に扉１が所望の位置にて開いている状態を維持することが可能である。特にロック棒５６の下面には、ゴムシート５６ａが設けられているので、より高い摩擦力により扉１の回動を規制することが可能である。
【００３６】
また、扉１は、幅方向における一方の端となる吊り元側にて、上端側と下端側とがピボットヒンジ３により壁２に支持されている。このため、例えば、下端側のピボットヒンジ３と突出したロック棒５６とで扉１を自立させることが可能である。このため、ロック棒５６を突出させた扉１を下端側のピボットヒンジ３に係合させた後に、扉１が自立した状態で上端側のピボットヒンジ３を取り付けることが可能である。すなわち、上端側のピボットヒンジ３と下端側のピボットヒンジ３とを同時に係合させないので容易に下端側のピボットヒンジ３と係合させることができ、下端側のピボットヒンジ３と係合した後には扉１を支えることなく上端側のピボットヒンジ３を固定できるので、より施工性に優れた扉１を提供することが可能である。
【００３７】
また、扉１を、壁２と対向させて開口２ａを閉じた状態に維持させるマグネットラッチ５５が、幅方向における他方の端となる戸先側の上部に設けられているので、壁２に対向させた扉１が倒れることを防止することが可能である。また、扉１は、マグネットラッチ５５の磁力により、開口２ａを閉じた状態に維持されるので、正確な位置に取り付けられていない扉１であっても開口２ａを閉じた状態を維持することが可能である。
【００３８】
また、グレモンハンドル５０を操作してロック棒５６が当接位置に移動するときに台座突出片５５ｃが壁２側に設けられたラッチ受け５７と係合して施錠されるので、ロック棒５６にて扉１の移動を規制しつつ施錠することが可能である。また、グレモンハンドル５０を操作してロック棒５６が離間位置に移動するときに台座突出片５５ｃとラッチ受け５７との係合が解除される。このため、施錠が解除されたときには、扉１の回動に対する規制も解除されるので扉１を容易に開くことが可能である。
【００３９】
また、上記扉１の施工方法によれば、壁２に下側のピボットヒンジ３及びラッチ受け５７を取り付けた状態で、ロック棒５６を突出させた扉１を下側のピボットヒンジ３と係合させ、扉１の上部にてマグネットラッチ５５をラッチ受け５７に当接させるとともに台座突出片５５ｃをラッチ受け５７と係合させることにより施錠して、扉１を自立させることができる。このため、容易に下端側のピボットヒンジ３と係合させて、下端側のピボットヒンジ３と係合した後には重い扉１を支えなくてよいので、作業者の負担を軽減できる。このとき、扉１の上部はマグネットラッチ５５と台座突出片５５ｃとにより扉１が開口２ａを閉じた状態が維持されているので、より確実に扉１を自立させておくことが可能である。
【００４０】
扉１が開口２ａを閉じて自立している状態で上端部側のピボットヒンジ３を固定するので、上端側のピボットヒンジ３を容易に固定することが可能である。このため、作業者の負担が少なく扉１を容易に取り付けることが可能である。
【００４１】
上記実施形態においては、マグネット５５ｂを閉止維持部材とし、台座突出片５５ｃを施錠部材とした例について説明したが、これに限るものではない。例えば、マグネットが設けられておらず、台座突出片５５ｃ及びラッチ受け上方延出部５７ｄが閉止維持部材と施錠部材とを兼ねて、台座突出片５５ｃがラッチ受け上方延出部５７ｄに係合したときに、扉１が開口２ａを閉じた状態が維持されるように構成されていても構わない。
【００４２】
また、上記実施形態においては、扉１の開閉時に把持するグレモンハンドル５０の操作により、突出支持部材を当接位置と離間位置とに移動可能、かつ、施錠部材を操作可能な操作部として使用する例について説明したが、これに限るものではない。例えば、図８に示すように、扉１の開閉時に操作者が把持する開閉操作部６と、ロック棒５６を当接位置と離間位置とに移動可能、かつ、台座突出片５５ｃを操作可能な操作部７とが、別々に設けられていても構わない。この場合には、操作部７が、上記実施形態のグレモンハンドル５０と同様に、見込み方向に沿う回転軸７ａに設けられたピニオン７ｂが上下移動部材５１のラック５１ａと噛み合っている。
【００４３】
このように開閉操作部６と操作部７を別々に設けることにより、操作部７をグレモンハンドル５０よりも小さくし、また、開閉操作部６を扉１の表面から窪ませた掘り込み引手とすることにより、扉１の表面からの突出量を小さくし、且つ、軽量化を図ることが可能である。
【００４４】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００４５】
本実施形態には、少なくとも以下の発明が含まれる。
開口を備えた壁の見込み方向における一方側に配置され、前記壁に回動自在に支持されて前記開口を閉じることが可能な戸体であって、下方に突出可能に設けられ、突出して当該戸体と対向する部位に当接し当該戸体を支持可能な突出支持部材を有していることを特徴とする戸体である。
【００４６】
このような戸体によれば、下方に突出して当該戸体と対向する部位に当接し、当該戸体を支持可能な突出支持部材を有しているので、戸体を所望な位置に移動させた後に、突出支持部材を下方に突出させて、戸体と対向する部位に当接させることにより、所望の位置で戸体が開いている状態を容易に維持することが可能である。また、突出支持部材は、戸体を支持しているので、戸体の重量が作用して突出支持部材と戸体を対向する部位との間に生じる摩擦力により、より確実に戸体が所望の位置にて開いている状態を維持することが可能である。
【００４７】
かかる戸体であって、前記壁よりも前記一方側に位置する回動軸を有するヒンジにより、幅方向における一方の端側にて、上端側と下端側とが前記壁に支持されることを特徴とする。
【００４８】
このような戸体によれば、戸体が、幅方向における一方の端側にて、上端側と下端側とがヒンジにより壁に支持される。このため、例えば、下端側のヒンジと突出した突出支持部材とで戸体を自立させることが可能である。このため、突出支持部材を突出させた戸体を下端側のヒンジに係合させた後に、戸体が自立した状態で上端側のヒンジを取り付けることが可能である。すなわち、上端側のヒンジと下端側のヒンジとを同時に係合させないので容易に戸体を下端側のヒンジと係合させることができ、下端側のヒンジと係合した後には戸体を支えることなく上端側のヒンジを固定できるので、より施工性に優れた戸体を提供することが可能である。
【００４９】
かかる戸体であって、前記幅方向における他方の端側の上部に、当該戸体が前記開口を閉じた状態を維持する閉止維持部材を有することを特徴とする。
【００５０】
このような戸体によれば、戸体を、前記開口を閉じた状態に維持する閉止維持部材を、幅方向における他方の端側に有しているので、壁と対向させた戸体が倒れることを防止することが可能である。
【００５１】
かかる戸体であって、前記突出支持部材を、当該戸体と対向する部位に当接している当接位置、及び、当該戸体と対向する部位と離間している離間位置に移動可能な操作部と、前記操作部の操作により、前記突出支持部材が前記当接位置に移動するときに前記壁側と係合して施錠し、前記突出支持部材が前記離間位置に移動するときに係合が解除されて解錠される施錠部材と、
を有することを特徴とする。
【００５２】
このような戸体によれば、操作部を操作して突出支持部材が当接位置に移動するときに施錠部材が壁側と係合して施錠されるので、突出支持部材にて戸体の移動を規制しつつ施錠することが可能である。また、操作部を操作して突出支持部材が離間位置に移動するときに施錠部材の壁側との係合が解除される。このため、施錠が解除されたときには、戸体の規制も解除されるので戸体を容易に開くことが可能である。
【００５３】
また、開口を備えた壁の見込み方向における一方側に配置され、前記壁に回動自在に支持されて前記開口を閉じることが可能な戸体の施工方法であって、前記戸体は、前記壁よりも前記一方側に位置する回動軸を有するヒンジにより、幅方向における一方の端側にて、上端側と下端側とが前記壁に支持されており、下方に突出可能に設けられ、突出して当該戸体と対向する部位に当接し当該戸体を支持可能な突出支持部材と、前記幅方向における他方の端側の上部に、当該戸体が前記開口を閉じた状態を維持する閉止維持部材と、前記突出支持部材を、当該戸体と対向する部位に当接している当接位置、及び、当該戸体と対向する部位と離間している離間位置に移動可能な操作部と、前記操作部の操作により、前記突出支持部材が前記当接位置に移動するときに前記壁側と係合して施錠し、前記突出支持部材が前記離間位置に移動するときに係合が解除されて解錠される施錠部材と、を有しており、前記壁の前記開口を形成している開口側壁縁部において前記戸体の前記一方の端側における下端部に前記ヒンジを固定する下ヒンジ固定工程と、前記開口側壁縁部において前記戸体の前記他方の端側における上部に前記閉止維持部材と係合する係合部を固定する係合部固定工程と、前記突出支持部材を突出させた状態で前記戸体を、前記壁に固定した前記ヒンジと係合させ、前記戸体の前記他方の端側に設けられた前記施錠部材を前記壁側と係合させるとともに前記突出支持部材を前記戸体と対向する部位に当接させて当該戸体を自立させる戸体自立工程と、前記戸体に前記一方の端側の上端部に係合させた前記ヒンジを前記壁に固定する上ヒンジ固定工程と、を有することを特徴とする戸体の施工方法である。
【００５４】
このような戸体の施工方法によれば、壁に下側のヒンジ及び係合部を取り付けた状態で、突出支持部材を突出させた戸体を下側のヒンジと係合させ、戸体の上部にて閉止維持部材を係合部に係合させるとともに施錠させて、戸体を自立させることができる。このため、容易に下端側のヒンジと係合させることができ、また、下端側のヒンジと係合した後には重い戸体を支えなくてよいので、作業者の負担を軽減できる。このとき、戸体は閉止維持部材によりに開口を閉じた状態に維持されているので、より確実に戸体を自立させておくことが可能である。そして、戸体が開口を閉じて自立している状態で上端部側のヒンジを固定するので、上端側のヒンジを容易に固定することが可能である。このため、作業者の負担が少なく戸体を容易に取り付けることが可能である。
【符号の説明】
【００５５】
１  扉、２  壁、２ａ  開口、２ｂ  開口側壁縁部、３  ピボットヒンジ、
３ａ  ピン、４  床、５  施錠機構、６  開閉操作部、７  操作部、
５０  グレモンハンドル、５５  マグネットラッチ、５５ｃ  台座突出片、
５６  ロック棒、５７  ラッチ受け、
【図１】
2020076274.tif 000003
【図２】
2020076274.tif 000004
【図３】
2020076274.tif 000005
【図４】
2020076274.tif 000006
【図５】
2020076274.tif 000007
【図６】
2020076274.tif 000008
【図７】
2020076274.tif 000009
【図８】
2020076274.tif 000010